(57)【要約】【課題】レンズの光軸方向の位置ずれに対するピントずれの比率を示す位置敏感度が高いと、温度変化による部品寸法の膨張または収縮によって発生するピントずれ量が大きくなる。従来ピントずれ補正のために、移動レンズ群の移動範囲に余裕量をもたせているが、高敏感度になると、必要十分な移動範囲の確保が困難となったり、大型化するなどの問題がある。【解決手段】固定で凸の第１レンズ群、移動可能で凹の第２レンズ群、固定で凸の第３レンズ群、および移動可能で凸の第４レンズ群からなるズームレンズを内包するレンズ鏡筒で、第１レンズ鏡筒は第１レンズ群を保持する。後部鏡筒は第２レンズ群を駆動するモータを保持し、更に、モータとラックを介して間接的に第２レンズ群を保持する。ズーム望遠位置にて、撮像素子取付け面からの部品の累積寸法は、第１レンズ群までの方が第２レンズ群までよりも大きく、光軸方向の線膨張係数は、第１レンズ鏡筒の方が、後部鏡筒よりも小さい。【選択図】図１
2016029417.tif 000002
【特許請求の範囲】
【請求項１】
少なくとも光軸に沿って開口した側面部を有する第１の鏡筒部と、
少なくとも光軸に沿って開口した側面部を有する第２の鏡筒部とを有し、 
前記第１の鏡筒部と前記第２の鏡筒部との夫々の開口した側面部同士を合わせて、
密閉された鏡筒本体の外観形状を構成し、
前記鏡筒本体の内部に、固定で凸の第１レンズ群、移動可能で凹の第２レンズ群、固定で凸の第３レンズ群、および移動可能で凸の第４レンズ群からなるズームレンズを内包し、
前記第２レンズ群を保持する第２レンズ移動枠と、
前記第２レンズ移動枠に取り付けられたラック部材と、
前記第２レンズ群を移動させるための駆動源とを有し、
前記駆動源は、ねじが形成された出力軸と保持部材を有し、
前記ラック部材は前記出力軸に噛合し、
前記出力軸の回転により前記第２レンズ群が光軸方向に移動可能に保持されており、
前記第１の鏡筒部は、前記1群レンズ群を保持し、
前記第２の鏡筒部は、撮像素子保持部を有し、且つ、前記駆動源を保持し、
ズームの望遠位置における各部品の光軸方向の寸法を累積した寸法は、
撮像素子取付け面から前記第１レンズ群までの累積寸法が、撮像素子取付け面から前記第２レンズ群までの累積寸法よりも大きく、
前記第１の鏡筒部の光軸方向の線膨張係数が、前記第２の鏡筒部の光軸方向の線膨張係数よりも小さいことを特徴とするレンズ鏡筒。 
【請求項２】
レンズ群の光軸方向の位置変化量に対するピント面ずれ量の比率を示す位置敏感度において、ズームの望遠側近傍にて、前記第1レンズ群の位置敏感度と前記第２レンズ群の位置敏感度は、互いの符号が逆方向で、相殺関係にあることを特徴とする請求項１に記載のレンズ鏡筒。
【請求項３】
前記第１の鏡筒部と前記第２の鏡筒部とを結合する面は、光軸方向において、撮像素子取付け面に近い側にあることを特徴とする請求項１又は請求項２に記載のレンズ鏡筒。
【請求項４】
撮像素子取付け面から前記第１レンズ群までの寸法の主な構成要素は、
前記第１の鏡筒部と前記第２の鏡筒部であり、
前記第１の鏡筒部の前記第１レンズ群受面から前記第１の鏡筒部と前記第２の鏡筒部の結合面までの寸法Ｘ１と、
前記第１の鏡筒部と前記第２の鏡筒部の結合面から前記第２の鏡筒部の撮像素子取付け面までの寸法Ｘ２からなり、
撮像素子取付け面から前記第２レンズ群までの寸法の主な構成要素は、
前記第２レンズ移動枠と前記ラック部材と前記駆動源と前記第２の鏡筒部であり、
前記第２レンズ移動枠の前記第２レンズ群受面から前記ラック部材取付け面までの寸法Ｘ３と、
前記ラック部材取付け面から前記ラック部材の前記駆動源の出力軸の噛合位置までの寸法Ｘ４と、
前記ラック部材の噛合位置から前記駆動源の出力軸受部までの寸法Ｘ５と、
前記駆動源の出力軸受部から前記第２の鏡筒部への駆動源の取付け基準位置までの寸法Ｘ６と、
前記第２の鏡筒部の前記駆動源の取付け基準位置から撮像素子取付け面までの寸法Ｘ７からなり、
前記第１の鏡筒部の線膨張係数をα１、前記第２の鏡筒部の線膨張係数をα２、前記第２レンズ移動枠の線膨張係数をα３、前記ラック部材の線膨張係数をα４、前記駆動源の出力軸の線膨張係数をα５、前記駆動源の保持部材の線膨張係数をα６、第１レンズ群の位置敏感度をＡ１、第２レンズ群の位置敏感度をＡ２とすると、
撮像素子取付け面から前記第１レンズ群までの寸法は、
Ｘ１＋Ｘ２  ・・・（１）
撮像素子取付け面から前記第２レンズ群までの寸法は、
Ｘ３＋Ｘ４＋Ｘ５＋Ｘ６＋Ｘ７  ・・・（２）
で示され、ズームの望遠位置において、（１）＞（２）の関係にあり、
温度変化による前記第１レンズ群の光軸方向の位置変化は、１℃あたり、
α１×Ｘ１＋α２×Ｘ２  ・・・（３）
温度変化による前記第２レンズ群の光軸方向の位置変化は、１℃あたり、
α３×Ｘ３＋α４×Ｘ４＋α５×Ｘ５＋α６×Ｘ６＋α２×Ｘ７  ・・・（４）
温度変化による前記第１レンズ群でのピント位置変化は、１℃あたり、
（３）×Ａ１
温度変化による前記第２レンズ群でのピント位置変化は、１℃あたり、
（４）×Ａ２
で示され、Ａ１とＡ２は異符号であり、α１＜α２  、Ｘ１＞Ｘ２  であることを特徴とする請求項１乃至請求項３の何れか一項に記載のレンズ鏡筒。
【請求項５】
前記第１の鏡筒部と前記第２の鏡筒部は、異材質の樹脂製成形品であることを特徴とする請求項１乃至請求項４の何れか一項に記載のレンズ鏡筒。
【請求項６】
前記第１の鏡筒部と前記第２の鏡筒部は、成形時における材料の流動方向が互いに直交する方向になるように、成形金型の分割方向およびゲートが異なる方向に配置された同材質の樹脂製成形品、または、異材質の樹脂製成形品であることを特徴とする請求項１乃至請求項４の何れか一項に記載のレンズ鏡筒。
【請求項７】
請求項１乃至請求項６の何れか一項に記載のレンズ鏡筒を備える光学機器。
【発明の詳細な説明】
【技術分野】
【０００１】
本発明は、デジタルカメラ、ビデオカメラ、ＴＶカメラ等の撮像装置に用いるレンズ鏡筒や光学機器に関するものである。
【背景技術】
【０００２】
特許文献１に記載されているようなレンズ鏡筒は、レンズを保持する鏡筒部品の多くに樹脂材料が使用されている。樹脂材料は一般的に金属に比較すると線膨張係数が高く、周囲の温度変化に応じた寸法変化が大きい。鏡筒部品の光軸方向の寸法が変化してしまうとレンズ位置が変化してしまい、結果としてピントのずれが生じてしまう。
【０００３】
従来から、温度変化によるピント補正の手段として、特許文献２に示すような温度変化によってピントがずれた分、ピントが合うようにレンズの位置を制御するピント補正が行われている。レンズ鏡筒側では、温度変化によるピント変化が発生した際に、ピント補正用の移動レンズ群を移動させられる分だけ余分に移動レンズ群の移動量を確保しておけばよい。
【先行技術文献】
【特許文献】
【０００４】
【特許文献１】特開２００２−１６９０７４号公報
【特許文献２】特許第３３５９２０１号公報
【発明の概要】
【発明が解決しようとする課題】
【０００５】
しかしながら、近年のレンズ鏡筒や光学機器の小型化、撮像素子の小型化、更にはズーム倍率の高倍化などにより、レンズ鏡筒としては、レンズの光軸方向の位置変化に対するピント変化量の比率を示す位置敏感度が大きくなる傾向にある。
【０００６】
位置敏感度が高くなると、その分、温度変化による部品寸法変化によって生じるピントずれ量が、従来以上に大きくなることとなる。よって、ピント補正のためにレンズ群を移動させるようにするためには、移動レンズ群がメカ端に衝突することなく移動できるように、従来以上に移動範囲を大きく設定する必要がある。しかし、小型化を実現するためには、必要十分な移動範囲量を確保するのが困難な場合があったり、または、大型化してしまうといった問題がある。
【０００７】
そこで、本発明は、位置敏感度が高いレンズにおいても、温度変化によるピント変化量を抑制し、小型化を実現出来るレンズ鏡筒およびそれを備える光学機器を提供することを目的とする。
【課題を解決するための手段】
【０００８】
その目的を達成するために、本発明の一側面としてのレンズ鏡筒は、少なくとも光軸に沿って開口した側面部を有する第１の鏡筒部と、少なくとも光軸に沿って開口した側面部を有する第２の鏡筒部とを有し、 前記第１の鏡筒部と前記第２の鏡筒部との夫々の開口した側面部同士を合わせて、密閉された鏡筒本体の外観形状を構成し、前記鏡筒本体の内部に、固定で凸の第１レンズ群、移動可能で凹の第２レンズ群、固定で凸の第３レンズ群、および移動可能で凸の第４レンズ群からなるズームレンズを内包し、前記第２レンズ群を保持する第２レンズ移動枠と、前記第２レンズ移動枠に取り付けられたラック部材と、前記第２レンズ群を移動させるための駆動源とを有し、前記駆動源は、ねじが形成された出力軸と保持部材を有し、前記ラック部材は前記出力軸に噛合し、前記出力軸の回転により前記第２レンズ群が光軸方向に移動可能に保持されており、前記第１の鏡筒部は、前記1群レンズ群を保持し、前記第２の鏡筒部は、撮像素子保持部を有し、且つ、前記駆動源を保持し、ズームの望遠位置における各部品の光軸方向の寸法を累積した寸法は、撮像素子取付け面から前記第１レンズ群までの累積寸法が、撮像素子取付け面から前記第２レンズ群までの累積寸法よりも大きく、前記第１の鏡筒部の光軸方向の線膨張係数が、前記第２の鏡筒部の光軸方向の線膨張係数よりも小さいことを特徴とする。 
【発明の効果】
【０００９】
本発明によれば、位置敏感度が高いレンズにおいても、ピント変化量を抑制し、小型化を実現出来るレンズ鏡筒、光学機器を提供することができる。
【図面の簡単な説明】
【００１０】
【図１】本発明のレンズ鏡筒の分解斜視図
【図２】本発明のレンズ鏡筒の断面図
【図３】本発明における後部鏡筒（第２の鏡筒部）
【図４】本発明における第１レンズ鏡筒（第１の鏡筒部）
【図５】レンズ鏡筒の広角端状態の各レンズ群の位置を示す模式図
【図６】レンズ鏡筒の望遠端状態の各レンズ群の位置を示す模式図
【図７】レンズ鏡筒の各レンズ群の位置敏感度を示す図
【図８】本発明のレンズ鏡筒の１℃変化時の各レンズ群によるピント変化量を示す図
【図９】本発明のレンズ鏡筒の３０℃変化時のピント変化量を示す図
【図１０】従来例のレンズ鏡筒の１℃変化時の各レンズ群によるピント変化量を示す図
【図１１】従来例のレンズ鏡筒の３０℃変化時のピント変化量を示す図
【図１２】本発明のレンズ鏡筒を搭載したカメラの電気回路構成を説明するブロック図
【発明を実施するための形態】
【００１１】
以下、本発明の実施例について図面を参照しながら説明する。
【００１２】
［実施例１］
図１、図２は本発明のレンズ鏡筒の基本構成を示す要部概略図である。図１はレンズ鏡筒を分解した斜視図を、図２はレンズ鏡筒の要部縦断面である。これらの図において、１２はレンズ鏡筒に収納した光学系（ズームレンズ）の光軸である。Ｌ１は最も物体側の第１レンズ群、Ｌ２は光軸方向に移動して変倍を行う変倍レンズ群を含む第２レンズ群である。Ｌ３は固定の第３レンズ群である。Ｌ４は光軸方向に移動することで変倍に伴う焦点面変動（像面変動）の補正と焦点合わせを行うレンズ群を含む第４レンズ群である。
【００１３】
第１レンズ群Ｌ１を保持する第１レンズ鏡筒（第１の鏡筒部）１は、光軸直交方向の下面（図１における下方）と後方（結像面方向）に開口面を有する略半円筒形状の上蓋部を有する。上蓋部の天井面には、不図示であるが、該天井面に入射した光の反射を抑えてゴーストの発生を防止するための遮光線を形成することが可能であり、必要に応じて適宜遮光線を形成するとよい。
【００１４】
後部鏡筒（第２の鏡筒部）５は、光軸に直交する方向の上面（図２における上方）と前方（被写体方向）に開口面が形成されている。後端には、後端部５ａが形成されており、底面には、不図示であるが、該底面に入射した光の反射を抑えてゴーストの発生を防止するための遮光線を形成することが可能であり、必要に応じて適宜遮光線を形成するとよい。後端部５ａには、ローパスフィルターを保持するフィルタ保持部５ｍと、ＣＣＤセンサやＣＭＯＳセンサ等の撮像素子を保持する撮像素子保持部５ｎとが形成されている。５ｋはローパスフィルター及び撮像素子への不要光の入射を遮る遮光部である。
【００１５】
第１レンズ鏡筒１と後部鏡筒５を組み合わせることで、前記の互いの開口面が塞がれ、ビス１７によって結合され固定される。
【００１６】
６ａ、６ｂは光軸と平行に延びて、その両端を第１レンズ鏡筒１と後部鏡筒５により保持されるガイドバーである。
【００１７】
尚、本実施例にいう「光軸と平行」とは、平行である場合だけでなく、許容誤差等の範囲で平行からずれているが平行とみなせる場合を含む。「光軸に直交する」も同様である。
【００１８】
ガイドバー６ａには、第２レンズ群Ｌ２を保持する第２レンズ保持枠２に形成されたスリーブ部と第４レンズ群Ｌ４を保持する第４レンズ保持枠４に形成されたＵ溝部とがそれぞれ移動可能に係合している。第２レンズ保持枠２と第４レンズ保持枠４は各々移動レンズ保持部材を構成している。
【００１９】
一方、ガイドバー６ｂには、第２レンズ保持枠２に形成されたＵ溝部と第４レンズ保持枠４に形成されたスリーブ部とがそれぞれ移動可能に係合している。第２レンズ保持枠２は、ガイドバー６ａによって光軸方向にガイドされるとともに、ガイドバー６ｂとＵ溝部との係合によりガイドバー６ａの回りでの回転が阻止されている。第４レンズ保持枠４は、ガイドバー６ｂによって光軸方向にガイドされるとともに、ガイドバー６ａとＵ溝部との係合によりガイドバー６ｂ回りでの回転が阻止される。
【００２０】
第２レンズ保持枠２には、ラック（ラック部材）１５が光軸直交面内で回動可能に取り付けられている。このラック１５は、ズームモータ（駆動源）８のスクリュウ軸（出力軸）８ａの送りねじに噛合う。これにより、ズームモータ８が作動してスクリュウ軸８ａが回転すると、第２レンズ保持枠２は光軸方向に駆動される。ラック１５は、ラックバネ１６によって、第２レンズ保持枠２の光軸方向端面に向けて付勢されているとともに、スクリュウ軸８ａに噛合う方向に付勢されている。これにより、第２レンズ保持枠２、ラック１５及びスクリュウ軸８ａ間でのガタが小さくなるようにしている。
【００２１】
第２レンズ保持枠２（第２レンズ群Ｌ２）の光軸方向に対する傾きは、スリーブ部を十分な長さでガイドバー６ａに係合させることで防止されている。第４レンズ保持枠４には、ラック１３が光軸直交面内で回動可能に取り付けられている。このラック１３は、フォーカスモータ７のスクリュウ軸７ａの送りねじに噛合う。これにより、フォーカスモータ７が作動してスクリュウ軸７ａが回転すると、第４レンズ保持枠４は光軸方向に駆動される。ラック１３は、ラックバネ１４によって、第４レンズ保持枠４の光軸方向端面に向けて付勢されているとともに、スクリュウ軸７ａに噛合う方向に付勢されている。
【００２２】
これにより、第４レンズ保持枠４、ラック１３及びスクリュウ軸７ａ間でのガタが小さくなるようにしている。第４レンズ保持枠４（第４レンズ群Ｌ４）の光軸方向に対する傾きは、スリーブ部４ａを光軸１３方向で十分な長さでガイドバー６ｂに係合させることで防止されている。
【００２３】
３は第３レンズ群Ｌ３を保持する第３レンズ保持枠である。該第３レンズ保持枠３は、ガイドバー６ｂに係合する基準位置決め用穴部と、ガイドバー６ａに係合する回転止め用の穴部（長穴部）とを有する。これらの穴部とガイドバー６ａ、６ｂとの係合により、第３レンズ保持枠３、つまりは第３レンズ群Ｌ３の光軸位置合わせを行っている。光軸方向に関しては、第１レンズ鏡筒１に係合する係止部を設けて位置合わせを行っている。
【００２４】
ここで、第３レンズ保持枠３は、移動群である第２レンズ保持枠２と第４レンズ保持枠４との間に配置されているため、第３レンズ保持枠３のガイドバー６ｂとの係合長を長くすることが難しい。このため、第３レンズ保持枠３における周方向３個所に第１レンズ鏡筒１に係合する係止部を設けて該第３レンズ保持枠３（第３レンズ群Ｌ３）の光軸方向に対する傾きを阻止している。
【００２５】
フォーカスモータ７及びズームモータ８はそれぞれ、ステッピングモータ等により構成されている。モータ８は、板金により製作されたモータ保持板（保持部材）８ｂにより保持されて、例えば不図示のビスにより後部鏡筒５に固定されている。モータ７についても同様に、板金により製作されたモータ保持板７ｂにより保持されて、例えば不図示のビスにより後部鏡筒５に固定されている。
【００２６】
９は、不図示のビスにより後部鏡筒５に固定される光量調節装置である。光量調節装置９は、絞り羽根９ａを開閉して光が通過する開口の径を変化させることで撮像素子に入射する光量を調整する。
【００２７】
１０、１１はフォトインタラプタであり、それぞれ不図示の補強板に接着されている。フォトインタラプタ１０は補強板を介して不図示のビスにより後部鏡筒５に固定されている。フォトインタラプタ１１は補強板を介して不図示のビスにより第１レンズ鏡筒１に固定されている。第２レンズ保持枠２が光軸方向に移動すると、該第２レンズ保持枠２に形成された遮光部２ａがフォトインタラプタ１１を構成する発光部と受光部との間に出入りする。
【００２８】
これにより遮光状態と受光状態とに切り換わる。フォトインタラプタ１１は、この切り換わりを検出することにより、第２レンズ保持枠２がそれぞれ基準位置に位置しているか否かを検出している。第４レンズ保持枠４に関しても同様に、フォトインタラプタ１０を用いて、第４レンズ保持枠４がそれぞれ基準位置に位置しているか否かを検出している。
【００２９】
前記フォーカスモータ７、ズームモータ８、光量調節装置９、フォトインタラプタ１０、１１には、不図示のフレキシブルプリント板ＦＰＣが半田付けされている。このＦＰＣを通じて撮像装置(カメラ本体)との電気信号の通信を行なっている。
【００３０】
図１２は、本実施例のレンズ鏡筒を用いて構成した撮像装置（ビデオカメラ）の要部ブロック図である。なお、この図中において、上述した実施例における構成要素と同じものには、同じ符号を付して説明に代える。
【００３１】
レンズ群Ｌ１〜Ｌ４を通る入射光を受光する撮像素子２２１の出力は、カメラ信号処理回路２２８に接続されている。カメラ信号処理回路２２８の出力のＹ信号は、ＡＥゲート２２９、ＡＦゲート２３０に接続されている。ＡＥゲート２２９の出力はＣＰＵ２３２に接続され、ＡＦゲート２３０の出力はＡＦ信号処理回路２３１を介してＣＰＵ２３２に接続されている。
【００３２】
ＣＰＵ２３２には、第２レンズ群Ｌ２の光軸方向位置を検出するズームエンコーダ２２５、光量調節装置９の開口径を検出する絞りエンコーダ２２６、第４レンズ群Ｌ４の光軸方向位置を検出するフォーカスエンコーダ２２７の出力が接続されている。更にＣＰＵ２３２には、ズームスイッチ２３３、ズームトラッキングメモリ２３４の出力が接続されている。
【００３３】
ＣＰＵ２３２の出力はズーム駆動源２２２、絞り駆動源２２４、フォーカス駆動源２２３に接続されている。ズーム駆動源２２２は第２レンズ群Ｌ２を駆動するズームモータ８、リードスクリュウ８ｂ等を含み、フォーカス駆動源２２４は第４レンズ群Ｌ４を駆動するフォーカスモータ７、リードスクリュウ７ｂ等を含んでいる。絞り駆動源２２４は光量調節装置９に備えられており、絞りばね９ａを駆動する。
【００３４】
カメラ信号処理回路２２８は撮像素子２２１の出力に対して所定の増幅やガンマ補正などを施す。これらの所定の処理を受けた映像信号のコントラスト信号はＡＥゲート２２９、ＡＦゲート２３０を通過する。ＡＦ（オートフォーカス）のためのＡＦ信号処理回路２３１は、映像信号の高周波成分に関する１つ又は複数の出力を生成する。ズームスイッチ２３３、ズームトラッキングメモリ２３４は、変倍に際して被写体距離と第２レンズ群Ｌ２位置に応じてとるべき第４レンズ群Ｌ４の位置の情報を記憶する。なお、ズームトラッキングメモリ２３４としてはＣＰＵ２３２内のメモリを使用してもよい。
【００３５】
例えば、撮影者によりズームスイッチ２３３が操作されると、ＣＰＵ２３２はズームトラッキングメモリ２３４の情報を基に算出した第２レンズ群Ｌ２と第４レンズ群Ｌ４の所定の位置関係が保たれるように駆動制御する。即ち、ズームエンコーダ２２５の検出結果から得られる第２レンズ群Ｌ２の光軸方向絶対位置と算出された位置とが一致するように、ズーム駆動源２２２とフォーカス駆動源２２３を駆動制御する。同様に、フォーカスエンコーダ２２７の検出結果より得られる第４レンズ群Ｌ４の光軸方向絶対位置と算出された位置が一致するように、ズーム駆動源２２２とフォーカス駆動源２２３を駆動制御する。
【００３６】
また、オートフォーカス動作ではＡＦ信号処理回路２３１の出力がピークを示すように、ＣＰＵ２３２はフォーカス駆動源２２３により第４レンズ群Ｌ４を駆動制御する。更に、適正露出を得るために、ＣＰＵ２３２はＡＥゲート２２９を通過したＹ信号の出力の平均値の所定値及び絞りエンコーダ２２６の出力所定値となるように、絞り駆動源２２４を駆動制御して光量調節装置９の開口径を制御する。
【００３７】
なお、ズーム駆動源２２２及びフォーカス駆動源２２３としては、実施例のようにステッピングモータに限らず、例えばＤＣモータやボイスコイルモータ、振動型モータ、振動型リニアアクチュエータ等を用いてもよい。
【００３８】
第２、第４レンズ群Ｌ２、Ｌ４の位置を検出するためには、エンコーダ以外の検出方式を採用してもよい。本実施例のように、駆動源としてステッピングモータを用いる場合には、或る基準位置にレンズ移動枠を配置してから、ステッピングモータに入力する動作パルス数を連続して計数する方法が一般的である。移動するレンズ保持枠に一体的に遮光板を設け、フォトインタラプタにより基準位置を検出する。そして、その後ステッピングモータに与える駆動パルス数をカウントすることによりレンズ群の位置を制御している。ＤＣモータを用いる場合には、エンコーダとして、ボリューム等の絶対位置エンコーダや磁気式エンコーダを用いることができる。
【００３９】
絞りエンコーダ２２６は絞り駆動源２２４のメータ内部にホール素子を配置し、ロータとステータの回転位置関係を検出する方式のものなどが使用できる。絞り駆動源２２４により２枚の絞り羽根９ａが駆動され光量調節を行う。また絞り羽根には、小絞り回折による画質劣化を防止するため、ＮＤフィルタが貼り付けられている。或いは、このＮＤフィルタを別の駆動源により駆動するものが知られている。
【００４０】
なお図１２ではビデオカメラについて説明したが、本発明のレンズ駆動装置は、デジタルスチルカメラやフィルムカメラ、交換レンズ等、他の光学機器（撮像装置）にも同様に適用することができる。
【００４１】
次に温度変化によって発生するピント変化に関して説明する。一般に、材料は温度上昇に伴い膨張し、温度下降に伴い収縮する。よって、レンズ鏡筒においては、周辺温度の変化に伴って部品寸法が変化することで、各レンズ群の光軸方向に対する位置が変化し、結果としてピント面のずれが生じることとなる。
【００４２】
図７は、各レンズ群が光軸方向に位置変化した際のピント面の変化の比率を示す指数（以下、位置敏感度）を示したものである。尚、図７は本実施例におけるズームレンズの位置敏感度特性を示すものであるが、凸凹凸凸の４群リアフォーカスタイプのズームレンズで有れば、数値自体にはレンズ個別で差異があるが、特性としては図７とほぼ類似な特性を示すと考えてよい。この図７において、縦軸は位置敏感度を示し、符号の差はピントの変化する方法の差である。横軸はズーム位置を示し、左端が広角端（ＷＩＤＥ端）、右端が望遠端（ＴＥＬＥ端）である。
【００４３】
この図７より、第３レンズ群と第４レンズ群は、広角端から望遠端まで位置敏感度が低く、且つ、ピント変化量の符号が逆で相殺関係にあることが分かる。一方、第１レンズ群と第２レンズ群は、望遠端の手前から望遠端にかけてグラフが急激に変化している。これにより、望遠端近辺において第１レンズ群と第２レンズ群の位置敏感度が高い、即ち、第１群レンズと第２群レンズの光軸方向の位置変化がピント変化量に大きく影響することが分かる。更に、第１レンズ群と第２レンズ群の位置敏感度は、符号は逆であるが絶対値はほぼ近い値を示している。
【００４４】
これは第１レンズ群と第２レンズ群の位置変化量がおおよそ同等であれば、互いのピント変化方向が逆方向であるために、互いのレンズ群によるピント変化量は相殺されることを示している。以上のことから、温度変化により光軸方向の寸法に変化が生じた際のピント変化は、望遠端近傍から望遠端にかけて問題になり易いといえる。そして、そのピント変化を抑制するためには位置敏感度の高い第１レンズ群と第２レンズ群の光軸方向の位置関係に着目すればよいことが分かる。
【００４５】
図５はズーム広角端における各レンズ群位置を示す図、図６はズーム望遠端における各レンズ群位置を示す図である。図４、図５、および下記に示す符号
Ａ１：第１レンズ群Ｌ１の位置敏感度
Ａ２：第２レンズ群Ｌ２の位置敏感度
α１：第１レンズ鏡筒１の線膨張係数
α２：後部鏡筒５の線膨張係数
α３：第２レンズ移動枠２の線膨張係数
α４：ラック１５の線膨張係数
α５：ズームモータ８のスクリュウ軸８ａの線膨張係数
α６：ズームモータ８のモータ保持板８ｂの線膨張係数
Ｘ１：第１レンズ群Ｌ１〜第１レンズ鏡筒１と後部鏡筒５の結合面の寸法
Ｘ２：第１レンズ鏡筒１と後部鏡筒５の結合面〜撮像素子取付け基準面の寸法
Ｘ３：第２レンズ群Ｌ２〜第２レンズ移動枠２のラック取付け基準位置の寸法
Ｘ４：第２レンズ移動枠２のラック取付け基準位置〜ラック噛合位置の寸法
Ｘ５：ラック噛合位置〜モータ保持板８ｂ先端の寸法（ズーム位置により可変）
Ｘ６： モータ保持板８ｂ先端〜ズームモータ取付け基準位置の寸法
Ｘ７： 撮像素子取付け基準面〜ズームモータ取付け基準位置の寸法
を用いると、撮像素子取付け面から前記第１レンズ群までの寸法は、次式となる。
【００４６】
Ｘ１＋Ｘ２  ・・・（１）
撮像素子取付け面から前記第２レンズ群までの寸法は、次式となる。
Ｘ３＋Ｘ４＋Ｘ５＋Ｘ６＋Ｘ７  ・・・（２）
図５のズーム望遠端においては、（１）＞（２）の関係にある。
尚、ここでは、寸法の符号は、図中矢印方向を正、その逆方向を負とする。
温度が１℃変化した時の第１レンズ群Ｌ１の光軸方向の位置変化量は、次式となる。
α１×Ｘ１＋α２×Ｘ２
温度が１℃変化した時の第２レンズ群Ｌ２の光軸方向の位置変化量は、次式となる。
α３×Ｘ３＋α４×Ｘ４＋α５×Ｘ５＋α６×Ｘ６＋α２×Ｘ７
温度が１℃変化した時の第１レンズ群Ｌ１によるピント変化量は、次式となる。
（α１×Ｘ１＋α２×Ｘ２）×Ａ１  ・・・（３）
温度が１℃変化した時の第２レンズ群Ｌ２によるピント変化量は、次式となる。
（α３×Ｘ３＋α４×Ｘ４＋α５×Ｘ５＋α６×Ｘ６＋α２×Ｘ７）×Ａ２  ・・・（４）
３０℃でのピント変化量は、それぞれの式から導かれる値を３０倍すればよい。
【００４７】
前述の通り、ピント変化に対しては、第１レンズ群と第２レンズ群の光軸方向の位置関係に着目すればよく、（３）式と（４）式の和が０に近く出来ればそれだけピント変化量も小さく抑えられることとなる。尚、ここでは、例えばズームモータ８のスクリュウ軸８ａの軸受け部品など、寸法が小さくてピント変化への影響が少ない部品に関しては割愛している。
【００４８】
ところで、先行文献１に記載の従来のレンズ鏡筒は、第１レンズ鏡筒に第１レンズ群とズームモータを保持し、後部鏡筒に撮像素子の保持部を有し、第１レンズ鏡筒と第２レンズ移動枠と後部鏡筒は同じ材質という構成であった。よって、上式においてα２＝α１、α３＝α１となるため、従来のレンズ鏡筒では、（１）式は次のようになる。
【００４９】
（α１×（Ｘ１＋Ｘ２））×Ａ１  ・・・（５）
同様に（２）式は次のようになる。
【００５０】
（α１×（Ｘ３＋Ｘ７））＋（α４×Ｘ４＋α５×Ｘ５＋α６×Ｘ６））×Ａ２  ・・・（６）
望遠端においては、図６から分かるようにＸ５とＸ６は符号が逆方向で相殺関係にある。更に金属材料のため、樹脂材に比べると線膨張係数が小さい。Ｘ４は寸法自体が小さい上に相殺方向の寸法である。よって、これらは温度変化による位置変化への影響度は低いといえる。よって、第１レンズ群と第２レンズ群の温度による光軸方向の位置変化量の差は、（Ｘ１＋Ｘ２）と（Ｘ３＋Ｘ７）の寸法差が、大きく影響するといえる。（Ｘ１＋Ｘ２）は撮像素子取付け基準面から第１レンズ群までの鏡筒の占める寸法である。（Ｘ３＋Ｘ７）は撮像素子取付け基準面から第２レンズ群までの鏡筒の占める寸法である。
【００５１】
望遠端位置では、図６から分かるように、第１レンズ群までの寸法のほうが、第２レンズ群までの寸法よりも大きいために、温度変化による膨張・収縮での光軸方向の位置変化が第１レンズ群の方が大きくなる。
【００５２】
Ａ１とＡ２は前述のように符号は逆であるが、絶対値としては近い値である。故に、（３）式と（４）式の和を考えると、（Ｘ１＋Ｘ２）と（Ｘ３＋Ｘ７）の寸法差が、ピント変化量の値に大きく影響するといえる。
【００５３】
図１０は従来例のレンズ鏡筒の構成を採用した場合の１℃変化時の各レンズ群によるピント変化量を表したものである。望遠側において、第１レンズ群によるピント変化量が第２レンズ群によるピント変化量の約２倍を示している。３０℃変化時の各群によるピント変化量を合計したものが図１１であるが、第１群レンズ群と第２レンズ群のピント変化量の差分が大きく影響して、レンズ鏡筒としては、望遠端近傍にて大きくピントずれが発生するのがわかる。
【００５４】
以上の考察から、温度変化によるピント変化量をより小さく抑える方策の一つとしては、次のことが考えられる。第１レンズ群と第２レンズ群の撮像素子取付け面からの部品を累積した距離および温度での位置変化量が異なる点を考慮し、第１レンズ群を保持する鏡筒と第２レンズ群を保持する鏡筒の光軸方向の線膨張係数を異なるものに設定すればよい。
次に、温度変化によるピント変化を抑制するための本実施例におけるレンズ鏡筒の構成の詳細に関して説明する。
【００５５】
図４に示す第１レンズ鏡筒１は、前述の通り、前方に第１レンズ群Ｌ１を保持する。１ａは、後部鏡筒５との結合面である。第１レンズ群Ｌ１を保持する別の第１レンズ保持枠を設け、それを第１レンズ鏡筒に固定することで、第１レンズ鏡筒１が第１レンズ群Ｌ１を保持するような構成でもよい。
【００５６】
図３に示す後部鏡筒５は、前述の通り後端部５ａが形成されている。５ｂは第１レンズ鏡筒１との結合面である。第１レンズ鏡筒１と後部鏡筒５の結合は、前記結合面において図１および図２で示す３本のビス１７によって行われている。
【００５７】
後部鏡筒５には不図示のビスによりズームモータ８が固定されている。ズームモータ８のスクリュウ軸８ａには、第２レンズ群Ｌ２を保持する第２レンズ保持枠２に取り付けられたラック１５が噛合している。つまり、後部鏡筒５は、ズームモータ８とラック１５を介して、間接的に第２レンズ群Ｌ２を保持している。
【００５８】
前述の通り、第１レンズ群Ｌ１の方が第２レンズ群Ｌ２に比べて、望遠端においては温度変化による膨張・収縮での光軸方向の位置変化が大きい。よって、本実施例では第１レンズ群Ｌ１を保持する第１レンズ鏡筒１の線膨張係数が、第２レンズ群Ｌ２を直接保持する第２レンズ移動枠２および第２レンズ群Ｌ２を間接的に保持する後部鏡筒５の線膨張係数よりも小さい材料を選定している。第２レンズ移動枠２と後部鏡筒５は同じ材料を用いている。
【００５９】
上記符号を用いて表すと、α１＜α２＝α３の関係にある。具体的には、前記３部品はいずれもポリカーボネート樹脂であるが、メーカーおよびグレードの選定により、α１＝１．８×１０−５、α２＝α３＝３．２×１０−５の材料を使用している。
【００６０】
図６は、望遠端における各レンズ群の位置関係を図示した図であり、図中に前述の符号Ｘ１〜Ｘ７を付加している。第１レンズ群Ｌ１を保持するする部品であり、線膨張係数を小さい側に設定した第１レンズ鏡筒１の光軸方向の寸法、即ち、Ｘ１の寸法は、Ｘ２の寸法に対して十分に大きいほうが、より第１レンズ群Ｌ１の温度による位置変化を抑えることができる。よって、前述の第１レンズ鏡筒１と後部鏡筒５の結合面は、Ｘ１の寸法を出来る限り大きく取れるようにするために、撮像素子取付け面に近い側に設置している。
【００６１】
以上の実施例にて、１℃変化時の各レンズ群によるピント変化量を表したものが図８である。望遠側において、第１レンズ群によるピント変化量と第２レンズ群によるピント変化量の差が図１０と比較して大分小さく抑えられているのが分かる。３０℃変化時の各群によるピント変化量を合計したものが図９であるが、図１１と比較して、望遠端では約１／４まで低減出来ている。ピント変化量は、Ｘ１〜Ｘ７の寸法やα１〜α６の線膨張係数の設定次第では、更に小さく抑えることが可能となる。
温度によるピント変化量の抑制が可能になることで、位置敏感度の高いズームレンズにおいても、大型化することなく、移動レンズ群の必要十分な移動範囲の確保ができるようになる。
【００６２】
［実施例２］
実施例１においては、第１レンズ鏡筒１と後部鏡筒５と第２レンズ移動枠２の材料の選択によって、線膨張係数が異なるようにした。樹脂材料は、例えばガラス繊維などを添加したものにおいては、そのガラス繊維の配向性による流れ方向とその直角方向とで線膨張係数の差が生じる。たとえが、ポリカーボネートのガラス繊維３０％含有のものでは、流れ方向の線膨張係数が３×１０−５、直角方向の線膨張係数が６×１０−５である。
【００６３】
よって、第１レンズ鏡筒と第２レンズ鏡筒が同材質であっても、配向性のある材料であれば、光軸方向の線膨張係数が互いの部品で異なるように設定することが可能となる。つまり、成形時の流れ方向が互いの部品で直交するように第１レンズ鏡筒１と後部鏡筒５の形状および型構造を構成すればよい。
【００６４】
図３の後部鏡筒５において、金型の分割を、光軸との直交方向である図中ａおよびｂの方向に開くようにし、アンダーカット部は光軸方向ｃおよびｄの方向のスライド型により形成できる形状としている。ゲートの種類、数、配置を適宜選択することによって、成形時の樹脂の流れ方向を光軸直交方向とすることができる。
【００６５】
図４の第１レンズ鏡筒１において、金型の分割を、光軸方向である図中ｃおよびｄの方向に開くようにし、アンダーカット部は、例えば光軸直交方向ａおよびｂの方向のスライド型により形成できる形状としている。ゲートの種類、数、配置を適宜選択することによって、成形時の樹脂の流れ方向を光軸方向とすることができる。
【００６６】
前記のガラス繊維３０％含有のポリカーボネート材を用いると、第１レンズ鏡筒１の光軸方向の線膨張係数がα１＝３×１０−５、後部鏡筒５の光軸方向の線膨張係数がα２＝６×１０−５となり、α１＜α２の関係である。光軸方向の部品寸法は、実施例１と同様である。
【００６７】
１℃変化時の各レンズ群によるピント変化量や、３０℃変化時の各群によるピント変化量を合計したもの、即ち、レンズ鏡筒としてのピント変化量は、実施例１と同様に従来例に対して大幅に低減できる。よって、温度によるピント変化量の抑制が可能になることで、位置敏感度の高いズームレンズにおいても、大型化することなく、移動レンズ群の必要十分な移動範囲の確保ができるようになる。
【００６８】
尚、第１レンズ鏡筒１と後部鏡筒５は、同材質に限らず異材質であっても良い。実施例１との違いは、第１レンズ鏡筒１と後部鏡筒５において、成形時の樹脂材料の流れ方向の違いから、光軸方向の線膨張係数を異なるように設定した点であるが、その他の内容や構成に関しては、実施例１と同様である。
【００６９】
以上、本発明の好ましい実施形態について説明したが、本発明はこれらの実施形態に限定されず、その要旨の範囲内で種々の変形および変更が可能である。
【符号の説明】
【００７０】
Ｌ１  第１レンズ群、Ｌ２  第２レンズ群、Ｌ３  第３レンズ群、Ｌ４  第４レンズ群、
１  第１レンズ鏡筒（第１の鏡筒部）、２  第２レンズ保持枠、３  第３レンズ保持枠、
４  第４レンズ保持枠、５  後部鏡筒（第２の鏡筒部）、８  ズームモータ（駆動源）、
８ａ  スクリュウ軸（出力軸）、８ｂ  モータ保持板（保持部材）、１２  光軸、
１５  ラック（ラック部材）
【図１】
2016029417.tif 000003
【図２】
2016029417.tif 000004
【図３】
2016029417.tif 000005
【図４】
2016029417.tif 000006
【図５】
2016029417.tif 000007
【図６】
2016029417.tif 000008
【図７】
2016029417.tif 000009
【図８】
2016029417.tif 000010
【図９】
2016029417.tif 000011
【図１０】
2016029417.tif 000012
【図１１】
2016029417.tif 000013
【図１２】
2016029417.tif 000014